(57)【特許請求の範囲】
【請求項１】
密閉容器と、磁気記憶媒体としてのディスクと、該ディスクを支持し且つ回転させるディスク駆動機構と、前記ディスクからの情報を読み出すヘッドと、該ヘッドを支持し且つヘッドをディスク上で移動してディスク上の任意の位置に移動させる位置決め機構とを含む容器内部に収容される機器と、これらの機構に対する電気回路をもつ配線板を含む容器外部に配置された機器とを具備している磁気ディスク記憶装置において、
前記容器が少なくとも１つの開口を有し、該容器を密閉させるため前記開口の片側に配置された少なくとも１つのシールド部材を有し、前記機器の少なくとも１つがその一部を前記開口の前記容器の厚さ範囲における側面およびシールド部材によって形成される空間内に収容され、
前記開口を前記容器内部に固定配置された機器に対応する部位に位置して容器に設けると共に、該開口の前記容器の厚さ範囲における側面と前記シールド部材とによって前記容器内部に対して開いている空間を形成し、前記空間に、前記容器内部に固定配置された機器が一部を収容していることを特徴とする磁気ディスク記憶装置。
【請求項２】
密閉容器と、磁気記憶媒体としてのディスクと、該ディスクを支持し且つ回転させるディスク駆動機構と、前記ディスクからの情報を読み出すヘッドと、該ヘッドを支持し且つヘッドをディスク上で移動してディスク上の任意の位置に移動させる位置決め機構とを含む容器内部に収容される機器と、これらの機構に対する電気回路をもつ配線板を含む容器外部に配置された機器とを具備している磁気ディスク記憶装置において、
前記容器が少なくとも１つの開口を有し、該容器を密閉させるため該開口の片側に配置された少なくとも１つのシールド部材を有し、前記機器の少なくとも１つがその一部を前記開口の前記容器の厚さ範囲における側面およびシールド部材によって形成される空間内に収容され、
前記開口を前記容器外部における機器によって占有されていない空間に対応する部位に位置して容器に設けると共に、該開口の前記容器の厚さ範囲における側面と前記シールド部材とによって前記容器内部に対して開いている空間を形成し、該空間に、前記容器内部に固定配置された機器が一部を収容していることを特徴とする磁気ディスク記憶装置。
【請求項３】
前記シールド部材が、前記容器外部側に配置された薄板からなり、前記開口と共に前記容器内部に形成する空間に前記容器内部に配置された機器の一部を収容している請求項１又は請求項２に記載の磁気ディスク記憶装置。
【請求項４】
前記シールド部材が前記開口を貫通して前記容器外部側にのびる突出部分をもち、前記容器内部に配置された機器が一部を前記開口および突出部分によって形成される空間に収容している請求項３に記載の磁気ディスク記憶装置。
【請求項５】
前記シールド部材が複数の部材で一体に形成されている請求項１乃至請求項４のいずれかに記載の磁気ディスク記憶装置。
【発明の詳細な説明】
【０００１】
【産業上の利用分野】
この発明は、磁気ディスク記憶装置にかかわり、さらに詳しくは、改良された容器をもつ磁気ディスク記憶装置に関している。
【０００２】
【従来の技術】
従来、磁気ディスク記憶装置は、たとえば特開平３−８６９８２号公報に記載されているように、磁気記憶媒体としてのディスク、ディスクを支持しかつ回転させるスピンドルモータ、ディスクからの情報を読み出すヘッドおよびヘッドを支持しかつディスク上の移動をヘッドになさせてディスクの回転とあいまってヘッドをディスク上の任意の位置に移動させる位置決め機構などが容器内部に組み込まれ、ディスクへの書き込みおよびディスクからの読み出しをヘッドになさせる回路、スピンドルモータおよびヘッド位置決め機構に含まれるモータの作動を制御する回路などをもつ印刷配線板が容器外部に実装された構造となっている。
【０００３】
磁気ディスク記憶装置は、薄形化が要求され、年々小型化されてきている。従来、これは容器内部にある構成要素を改良することによってなされている。たとえば特開平３−１８９９５７号公報に記載されているように、スピンドルの一端のみを容器に固定し、ベアリングを介在してハブをスピンドルに取り付け、ハブ内部にモータコイルおよびマグネットを組み込むとともに、スピンドルモータにたいする印刷配線板をハブの内部に引き込むことによって、さらに、特開平３−１８９５８号公報に記載されているように、ハブとスピンドルとを一体化させるなどして、装置厚みの減少をおこなっている。
【０００４】
【発明が解決しようとする課題】
しかしながら、スピンドルモータなどの機構部品や印刷配線板の薄形化は、性能に直接関係するため、かなりむづかしいところまできており、また、容器を薄肉化するにもダイキャストなどの鋳物によってつくられているため限界があり、実際、仕様のほんの一部がかわるだけでも、たとえば印刷配線板上の電子デバイスが変わるだけでも、容器をあらたに製作しているのが現状である。
【０００５】
本発明の目的は、厚みをさらに薄形化することができ、しかも、印刷配線板やスピンドルモータなどの変更にも応じることができる、改良された磁気ディスク記憶装置を提供することにある。
【０００６】
【課題を解決するための手段】
上記目的を達成するため、本発明による磁気ディスク記憶装置は、密閉容器と、磁気記憶媒体としてのディスクと、該ディスクを支持し且つ回転させるディスク駆動機構と、前記ディスクからの情報を読み出すヘッドと、該ヘッドを支持し且つヘッドをディスク上で移動してディスク上の任意の位置に移動させる位置決め機構とを含む容器内部に収容される機器と、これらの機構に対する電気回路をもつ配線板を含む容器外部に配置された機器とを具備している磁気ディスク記憶装置において、前記容器が少なくとも１つの開口を有し、該容器を密閉させるため前記開口の片側に配置された少なくとも１つのシールド部材を有し、前記機器の少なくとも１つがその一部を前記開口の前記容器の厚さ範囲における側面およびシールド部材によって形成される空間内に収容し、前記開口を前記容器内部に固定配置された機器に対応する部位に位置して容器に設けると共に、該開口の前記容器の厚さ範囲における側面と前記シールド部材とによって前記容器内部に対して開いている空間を形成し、前記空間に、前記容器内部又は外部に固定配置された機器が一部を収容されていることを主な特徴とする。
【０００７】
【作用】
開口がたとえば容器外部あるいは容器内部に配置された機器に対応する容器上の部位に配置されていると、容器内部あるいは容器外部に組み込まれる機器の一部、たとえばディスク駆動機構の一部やヘッド位置決め機構に含まれるボイスコイルモータの一部、印刷配線板上の電子デバイスを容器開口に位置させて、これらを容器に組み込むことができるため、開口およびシールド部材が容器外部あるいは容器内部に形成する空間の深さに関連する厚みだけ装置厚みが減少する。装置厚みはシールド部材の形態によって変化する。たとえば、シールド部材がフラットな薄板からなっていると、最大容器の厚みまで装置厚みの減少をおこなえ、シールド部材が開口を貫通して容器外部側あるいは容器内部側にのびる突出部分をもち、突出部分に開口につながるへこみを設けられ、容器内部あるいは容器外部に配置された機器がこれらの開口およびへこみによって形成される空間に収容されると、開口およびへこみの深さの合計に関連する厚みだけ装置厚みの減少をおこなえる。さらに、開口が容器内部あるいは容器外部における機器によって占有されていない空間に対応する部位に位置して容器に設けられ、シールド部材が開口を貫通して容器内部側にのびる突出部分をもち、突出部分に開口につながるへこみを設けられていると、容器内部への容器外部に配置された機器の収容をさらに深くおこなえ、装置厚みをさらに減少させることができる。
【０００８】
【実施例】
本発明の磁気ディスク記憶装置の実施例は、以下に、添付図面を参照して説明する。
【０００９】
この磁気ディスク記憶装置は、密閉容器、磁気記憶媒体としてのディスク、ディスクを支持しかつ回転させるスピンドルモータ、ディスクからの情報を読み出すヘッドおよびサスペンションアームをもつヘッドアッセンブリ、ヘッドアッセンブリを支持しかつディスク上の移動回転させるスイングアームおよびボイスコイルモータをもつヘッド位置決め機構、それに、ディスクへの書き込みおよびディスクからの読み出しをヘッドになさせる回路やスピンドルモータおよびヘッド位置決め機構に含まれるボイスコイルモータの作動を制御する回路などをもつ印刷配線板を具備している。ディスク、スピンドルモータ、ヘッドアッセンブリおよびヘッド位置決め機構は容器の内部に収容され、印刷配線板は容器の外部に配置されている。
【００１０】
本発明による磁気ディスク記憶装置において、密閉容器はシールド板によって覆われた開口をもっている。密閉容器は、図１において参照符号１０によって示されていて、たとえば、ほぼ板状の形態をもつベース１１および一側面が開放された中空の箱形の形態をもつカバー１２からなっている。ベース１１はスピンドルモータ、ヘッド位置決め機構などが設置され、カバー１２はベースに設置されたこれらの機器を内包するようにかぶせられ、フランジ部分をボルトや小ねじによってベース１１に固定されている。
【００１１】
開口２０は、容器内部に組み込まれている機器１４、たとえばヘッド位置決め機構に含まれているボイスコイルモータ１４に対応してカバー１２に設けられている。ボイスコイルモータ１４は一部が開口２０の内部に収容されている。シールド部材２１は、金属や合成樹脂などのフラットな薄板、フィルム、箔などからなっている、たとえばアルミ、銅、ポリエステル樹脂などのこれら、それに、エンジニアプラスチック、ファインケミカルフィルムなどからなっており、カバー１２の内側から開口２０を覆うように配置されているとともに、周縁を接着剤などによってカバー１２に固定され、容器内部に塵埃などが侵入しないようさせている。ボイスコイルモータの作動を制御する回路などをもつ印刷配線板１５はカバー１２の外部に配置されかつこれに固定されている。
【００１２】
このような開口２０とシールド部材２１とをもつ容器１０は、容器内部にある機器の一部が開口２０の内部に配置され、容器１０の厚みが開口２０の深さｄだけ減少するため、磁気ディスク記憶装置全体の厚みｔを薄くすることができる。
【００１３】
図２は、容器内部の機器を収納し、装置厚みを減少させる他の構成を示している。これにおいて、シールド部材は、一部あるいは全部が容器の外部にむかって突出するように形成され、容器内部に配置されている機器が一部を突出によって形成された空間にはめ込まれている。
【００１４】
シールド部材２１は、金属薄板や合成樹脂の成形物からなっていて、開口端にフランジ部分をもつ浅い箱形の形態に形成されている。カバー１２にたいする取り付けは、カバー１２の外部から箱形部分を開口２０にはめ、フランジ部分をカバー１２に固定することによってなされている。容器内部の機器１４、たとえばスピンドルモータは、上端が開口２０を貫通してシールド部材２１の箱形部分の空間に収容される。
【００１５】
このような開口２０およびシールド部材２１をもつ容器は、容器１０の厚みが開口２０の深さｄとシールド部材２１における箱形部分の深さｄ’との合計に関連する厚み減少する。装置厚みｔはカバー１２が容器１０の上面から突出するため大きくなるが、シールド部材２１を印刷配線板１５とカバー１２とのあいだにある電子デバイスの実装されていない空間に配置することによって、あるいはシールド部材２１を印刷配線板１５からはずれた位置に配置することによって、もしくは印刷配線板１５にシールド部材２１の箱形部分の貫通する孔を設けることによって、背の高い部品が容器１０の内部に組み込まれていても、装置厚みｔの減少をおこなうことができる。
【００１６】
また、本発明による磁気ディスク記憶装置において、容器の外部に配置されている機器、たとえば印刷配線板に実装されている電子デバイスは一部が容器にある開口に位置させて容器内部に組み込まれ、容器は開口を覆うシールド部材によって密閉されている。
【００１７】
これにおいて、開口２０は、図３に示すように、カバー１２における印刷配線板１５に実装されている電子デバイス１６に対応する位置に設けられている。シールド部材２１は、アルミなどの金属や合成樹脂などのフラットな薄板、フィルム、箔などからなっていて、開口２０を覆ってカバー１２に配置されているとともに、周縁を接着剤などによってカバー１２に固定され、容器内部に塵やほこりなどが侵入しないようさせている。このような開口とシールド部材とをもつ容器１０は、印刷配線板１５に突出して実装されている電子デバイス１６が容器１０にある開口２０に収容され、印刷配線板１５と容器１０との距離を開口２０の深さｄだけ小さくすることができるため、装置厚みｔを減少させることができる。
【００１８】
この場合も、シールド部材が、図４に示すように、容器の内部空間にむかって突出している形態に形成され、印刷配線板に実装されている電子デバイスなどの容器外部に配置されている機器を収容するようにさせてもよい。これにおいて、シールド部材２１は、図５に示すように、開口端にフランジ部分をもつ浅い箱形をもつ金属薄板や合成樹脂などの成形物からなっている。カバー１２への取り付けは、図４に示すように、カバー１２の外部から箱形部分を開口２０にはめ、フランジ部分をカバー１２に固定することによってなされている。印刷配線板１５は、これに実装されている電子デバイスがシールド部材２１の空間内部に位置するように、カバー１２に配置されかつこれに固定されている。
【００１９】
このような開口２０およびシールド部材２１をもつ容器は、印刷配線板２１とカバー１２とのあいだがシールド部材２１における箱形部分の深さｄ’に関連する厚みに関連する距離だけ減少して、装置厚みｔを薄くさせることができる。
【００２０】
本発明において、図１および図３に関連して説明したフラットな形態をもつシールド板２１が絶縁フィルムと導電性板材とを粘着材や接着剤で貼り合わせたものからなることによって、図２、図４および図５に関連して説明したシールド部材２１が、図６に示すように、シールド部材２１の表面に電気絶縁材料からなる層２３を形成することによって、あるいは、シールド部材全体を合成樹脂の成形物からなることによって、印刷配線板における電子デバイスあるいは活電部をシールド板２１に接触させないような配置を必要としなくなり、装置厚みｔをさらに薄くすることができるばかりか、設計および実装をより容易におこなえかつ部品および組立コストを低減させことができる。
【００２１】
さらに、これらのシールド部材２１は、印刷配線板上の電子デバイスを収容するだけでなく、容器１０の内部にある機器にたいするサポートを構成するようにさせることによって、機種ごとにベース１１およびカバー１２の形状を変える必要がなくなり、容器の共通化をおこなうことができる。シール部材２１は、たとえば図７に示すように、容器１０の内部に組み込まれた機器１４に接着剤２４によって結合され、また図８に示すように、容器１０の内部に位置する部分にバーリングによって孔をあけられ、この孔に雌ねじを形成し、小ねじやボルト２５によって容器１０の内部に組み込まれた機器１４に結合される。なお、機器１４をサポートとしてもちいる場合には、ベース１１と機器１４との間隔は図７および図８に図示する間隔より狭く配置される。
【００２２】
さらに、シールド部材２１は、たとえば図９に示すように、ゴムや発泡樹脂のような緩衝材２６を具備させられ、この緩衝材を容器１０の内部に組み込まれた機器１４に接触させるようにしてもよく、とくにヘッド位置決め機構に含まれるボイスコイルモータの磁石を緩衝材２６に接触させることによって、ヘッドの位置決め精度を向上させることができる。すなわち、ボイスコイルモータは、ヘッドを支持しているスイングアーム１７に回転力を発生させているため、スイングアームが回転するときに発生する反力によって磁石１８を振動させ、この振動が容器１０を経由してスイングアーム１７に伝わるが、ボイスコイルモータの磁石１８が緩衝材２６に接触していると、緩衝材２６がボイスコイルモータの振動を減衰あるいは吸収して、振動をスイングアーム１７に伝達しないため、ヘッドの位置決め精度を向上させることができる。
【００２３】
これらのシールド部材において、容器にたいする取り付けは、図２、図４、図７、図８および図９に示すように、シート２７に開口２０およびシールド部材の箱形部分の開口に対応する切抜きを設け、シート２７をカバー１２にかぶせかつカバー１２およびシールド部材２１に接着することによってなされているが、図１０に示すように、カバー１２における開口２０の周囲に設けられた段部２８にシールド部材２１のフランジ部分をはめかつシールド部材２１のフランジ部分とカバー１２とを接着剤２９によって結合することによってなされる。前者の場合にはシートが印刷配線板１５とカバーあるいはベースとのあいだの電気的絶縁をおこなうシートを兼用させることによって、部品点数の減少および組立作業性の改善をおこなうことができ、後者の場合にはシールド部材２１を開口２０にはめ込んだときに段部２８がカバー１２の表面に段差を生じないため、段部２８がないときに比較して印刷配線板１５をカバー１２に接近させることができる。
【００２４】
これらの開口２０およびシールド部材２１からなるセットがひとつあるいは複数を容器１０に設けることによって、容器内部および容器外部に組み込まれている機器の一部が容器自体に収納され、容器厚みを減少させて、装置全体の厚みｔを薄くすることができ、また、印刷配線板の構成が異なっていても、たとえば電子デバイスの配置が異なっても、電子デバイスを開口２０あるいはこれ関係するシールド部材２１にあるへこみ内部に配置することによって、印刷配線板を含む装置厚みｔを増大させることなしに、仕様の変更に応じることができる磁気ディスク記憶装置を得ることができる。
【００２５】
図１１はそのような磁気ディスク記憶装置の一例を示している。
【００２６】
この磁気ディスク記憶装置は、ヘッドの位置決めをスイングアームの回転によっておこなうもので、磁気記憶媒体としてのディスク５０、ディスクを支持しかつ回転させるスピンドルモータ５１、ディスク５０からの情報を読み出すヘッド５２ｂおよびサスペンションアームをもつヘッドアッセンブリ５２、ヘッドアッセンブリを支持しかつディスク上の移動をなさせるスイングアーム５３およびボイスコイルモータ５４をもつヘッド位置決め機構、ディスクへの書き込みおよびディスクからの読み出しをヘッドになさせる回路やスピンドルモータおよびヘッド位置決め機構に含まれるボイスコイルモータの作動を制御する回路などをもつ印刷配線板１５を具備している。これらのうち、ディスク５０、スピンドルモータ５１、ヘッドアッセンブリ５２およびヘッド位置決め機構などは容器１０の内部に組み込まれ、印刷配線板１５は絶縁部材２２を介在して容器１０の外部に固定されているとともに、ヘッド、スピンドルモータ５１およびボイスコイルモータ５４に電気的に接続されている。
【００２７】
容器１０はベース１１およびカバー１２からなっている。ベース１１は、たとえばアルミダイキャストによってつくられた、ほぼ板状の形態をもつもので、スピンドルモータ、ヘッド位置決め機構を設置するための座を設けられている。カバー１２も、アルミダイキャストによってつくられているが、一側面が開放された中空の箱形の形態をもっており、ベース１１に設置される機器を内包するように、ガスケット５５を介在してこれらにかぶせられ、フランジ部分をボルトによってベース１１に締結されている。
【００２８】
カバー１２にはスピンドルモータ５１の上部に対応する位置に開口２０ａを、ヘッド位置決め機構を構成しているスイングアーム５３の上部に対応する位置に開口２０ｂを、ボイスコイルモータ５４の上部に対応する位置に開口２０ｃを設けられ、シールド部材２１ａ、２１ｂ、２１ｃがこれらの開口の各々を覆っている。開口２０ａおよび開口２０ｂにたいするシールド部材２１ａ、２１ｂは薄板の形態をもつもので、カバー１２における開口２０ａ、２０ｂのまわりに形成された段部に落とし込まれ、接着剤２９によってカバー１２に固定されている。開口２０ｃにたいするシールド部材２１ｃは、開口端にフランジ部分をもつ浅い箱形に形成された合成樹脂成形物からなるもので、容器内部から箱形部分をカバー１２における開口の周囲にある段部にはめられ、フランジ部分をカバー１２に接着剤２９によって固定されている。また、ベース１１にも、スイングアーム５３の下部に対応する位置に開口２０ｄを設けられている。この開口２０ｄも、カバー１２における開口２０ｄのまわりに形成された段部にはめられかつ接着剤２９によってカバー１２に固定された薄板の形態をもつシールド部材２１ｄによって覆われている。
【００２９】
スピンドルモータ５１はこれの上部にあるディスク５０をスペーサ５６ｂを介在して押えるクランプ５６を開口２０ａの内部に位置させ、ヘッド位置決め機構はこれを構成しているスイングアーム５３の上部および下部の一部を開口２０ｂおよび開口２０ｄの内部に位置させて容器１０の内部に収容されているとともにベース１１に固定され、容器厚みｔ１を小さくさせて、装置厚みｔを薄くさせている。さらに、ボイスコイルモータ５４を構成する永久磁石５７はシールド部材２１ｂに固定されている緩衝材１８に接触させられ、コイル５８が運動したときに発生する反力にもとづく磁石５７の振動を吸収して、この振動がヘッドアッセンブリ５２に伝達されないようにしている。さらに、印刷配線板１５は、背のたかい電子デバイス１６が開口２０ｃに対応するように基板に実装されているとともに、これらの電子デバイス１６をシール部材２１ｃのへこみにはいり込ませながら、カバー上に配置されかつこれに固定され、印刷配線板１５とカバー１２との間隔ｔ２を小さくさせ、装置厚みｔをさらに薄くさせている。
【００３０】
図１２はさらに他の磁気ディスク記憶装置を示している。この磁気ディスク記憶装置において、容器１０は、図１１に関連して説明した磁気ディスク記憶装置と同様に、スピンドルモータおよびヘッド位置決め機構とに対応する開口をもつことに加え、カバー１１は容器１０の内部に組み込まれた機器によって占有されていない空間に対応する部分に開口２０を具備している。
【００３１】
シールド部材２１は、図１３に示すように、カバー１２におけるスピンドルモータおよびヘッド位置決め機構とに対応する開口をもつ側面全体を覆う形状およびサイズをもつとともに、開口２０に関連する領域に容器１０にむかって突出する部分２１’をもっている。シールド部材自体は、たとえばアルミなどの金属を深絞り成形したもので、外側表面に電気絶縁層を形成されている。カバー１２にたいする取り付けは、突出部分２１’を開口２０にはめ、周縁を接着剤によってカバー１２に固定することによっておこなっている。
【００３２】
このような磁気ディスク記憶装置は、多数の開口をひとつのシール部材によって一度に閉じることができるので、組立作業性を向上させることができるばかりか、より高さのたかい電子デバイスの実装が印刷配線板１５になされても、この電子デバイスを開口２０に対応する位置に配置することによって、装置全体の厚みｔを増大させずに電気回路の仕様変更にさらに柔軟に対応することができる。さらに、シールド部材２１の表面には電気絶縁材料からなる層が形成されているため、印刷配線板１５における電子デバイスあるいは活電部が接触しないような配置を必要としなくなり、設計および実装を簡単におこなうことができる。
【００３３】
図１４はさらに他の磁気ディスク記憶装置を示している。この磁気ディスク記憶装置において、容器１０の内部に組み込まれている機器は図１１に示す装置とおなじであるが、二つの印刷配線板１５ａ、１５ｂが容器の両面に組み込まれている。さらに、カバー１１は容器１０における機器が占有していない空間に対応する部分に開口２０ａをもっているが、ベース１２にも開口２０ａとほぼ同軸位置に開口２０ｂをもっている。各々の開口を覆うシールド部材２１ａ、２１ｂは開口端にフランジ部分をもつ浅い箱形をもつ合成樹脂の成形物からなっていて、ベース１１およびカバー１２にある開口２０ａ、２０ｂの各々にはめ込まれ、開口および箱形部分の開口に関連する形状の切抜きをもつシート２７ａ、２７ｂをベース１１、カバー１２にかぶせ、シート２２ａ、２２ｂをベース１１およびシールド部材２１ａのフランジ部分、カバー１２およびシールド部材２１ｂのフランジ部分を接着することによって、あるいは、シールド部材２１ａ、２１ｂのフランジ部分を開口２０ａ、２０ｂの周囲にある段部に落し込んだあと、フランジ部分をカバー１１、ベース１２に接着することによってなされている。印刷配線板１５ａ、１５ｂは、各々に実装されている背のたかい電子デバイス１６ａ、１６ｂが容器１０の開口２０ａ、２０ｂに対応する位置にあるように基板に実装され、これらの電子デバイスがシールド部材２１ａ、２１ｂのへこみに落とし込まれた状態においてカバー１２に固定されている。
【００３４】
このような磁気ディスク記憶装置は、容器１０の両側に配置されている印刷配線板１５ａ、１５ｂに実装されている電子デバイス１６ａ、１６ｂをシールド部材２１ａ、２１ｂの内部に収容して、印刷配線板１５ａとカバーおよび印刷配線板１５ｂと容器１０とのあいだの距離を小さくすることができるので、容器１０の両面に印刷配線板１５ａ、１５ｂが組み込まれていても、装置厚みｔを薄くすることができ、図１１の磁気ディスク装置と同様に、仕様変更にもとづく、印刷配線板の実装をより簡単におこなうことができる。
【００３５】
図１５はさらに他の磁気ディスク記憶装置を示している。この磁気ディスク記憶装置も、容器内部に組み込まれている機器が図１１に示す装置とおなじであるが、カバー１２は直線や円弧などの梁の組み合せた構造からなっている、いわゆるスケルトン構造となっていて、多数の開口を具備している。開口は、たとえば梁のあいだに六個あり、ディスクの回転中心と中心を共有する扇形の四個の開口２０ａ〜２０ｄおよびヘッド位置決め機構の上部に位置する二個の開口２０ｅ、２０ｆからなっている。開口２０ａ〜２０ｄは同じ形状およびサイズをもち、開口２０ｅ、２０ｆは同じ形状およびサイズをもっている。開口２０ａ〜２０ｄにたいするシールド部材２１は、フラットな薄板からなり、開口の各々を覆うようにカバー１２の内側に配置されてるとともに、開口の周縁に位置する領域をカバー１２に接着されている。残る二個の開口のうち、一方の開口２０ｅにたいするシールド部材２１ｅも同様にフラットな薄板からなり、開口２０ｅを覆うようにカバー１２の内側に配置され、開口の周縁に位置する部分をカバー１２に接着されている。が、もうひとつの開口２０ｆにたいするシールド部材２１ｆは、開口端にフランジ部分をもつ浅い箱形をもつ合成樹脂の成形物からなっている。このシールド部材２１ｆは、開口２０ｆを覆うように外部から開口２０ｆにはめ込まれ、周縁部分をカバー１２に接着剤によって固定されている。印刷配線板は、図示されていないが、これに実装されている電子デバイスを開口２０ａ〜２０ｆの全部あるいは一部に落とし込んでカバー上に載せられ、カバー１２に固定されている。
【００３６】
この磁気ディスク記憶装置では、印刷配線板に実装されている電子デバイスの一部あるいは全部がカバー１２にある開口２０ａ〜２０ｆにはいり込んで、印刷配線板とカバー１２のあいだの距離を減少させ、装置全体の厚みｔを薄くすることができる。そして、印刷配線板における電気回路の仕様のみが変わっても、つまり印刷配線板に実装される電子デバイスの種類、配置、サイズなどが変わっても、各々の電子デバイスを多数の開口２０ａ〜２０ｆのいずれかに収容することができるので、装置全体の厚みｔを増大させることなしに仕様変更にたいする対応をおこなえる。さらに、開口２０ａ〜２０ｄが同じ形状であり、開口２０ｅ、２０ｆが同じ形状であるため、各々の開口セットにたいするシールド部材２１ａ〜２１ｄの共通化をおこなえるため、シールド部材の数が減少し、コストを低減させることができ、しかも、シールド部材２１ａ〜２１ｆが合成樹脂からなり、電気絶縁性をもっているため、絶縁処理を必要とせず、装置厚みｔの減少のみならず、組立作業も簡単におこなえる。そして、シールド部材２１ａ〜２１ｆは、各々の開口２０ａ〜２０ｆごとに独立しているため、密閉性をつよく要求されるときに、容器１０の密閉を確実にかつ簡単におこなえる。
【００３７】
図１６はさらに他の磁気ディスク記憶装置を示している。この磁気ディスク記憶装置は、ひとつの大きな開口を容器を構成しているカバーに設けて、容器内部に収容されている機器あるいは容器外部に配置されている印刷配線板上の電子デバイスの主要部分をこの開口にはいり込ませている。容器１０の内部には、ディスク５０、ディスクを支持し回転させるスピンドルモータ５１、ヘッドアッセンブリ５２、ヘッドアッセンブリを支持しかつディスク上の移動をなさせるスイングアーム５５、スイングアームを旋回させるボイスコイルモータ５４などが容器内部に組み込まれている。カバー１２には、容器１０の内部に収納されているこれらの機器の主要部分、たとえばスピンドルモータ５１、スイングアーム５５などがはいり込むひとつの大きな開口２０が設けられ、一枚のシールド板２１がこの開口２０を覆うように配置されかつカバー１２に固定されている。印刷配線板１５はシールド部材２１の外側に配置されかつカバー１２に固定されている。
【００３８】
このような磁気ディスク記憶装置は、装置が小型化され、シールド部材の機械的強さが磁気ディスク記憶装置の容器内部に収容されている機器の主要部分を覆う範囲において十分なものとなるときには、容器１０の内部に収納されているこれらの機器の主要部分がはいり込で装置全体の厚みｔを薄くすることができるばかりか、シールド部材２１が一枚のみからなっているため、小型化されているにもかかわらず、組み立てを簡単におこなうことができる。さらに、シールド部材２１が、印刷配線板１５から発生するノイズを遮断するものからなっていると、たとえば図１７に示すように、絶縁フィルム２１１と導電性板材２１２を粘着剤２１３によって積層させたものからなり、導電性板材２１２を開口２０の内部に位置させて配置され、絶縁フィルム２１１の周縁にある粘着剤２１３によってカバー１２に固定されている構成とすることによって、導電性部材１２が容器内部に収容されている機器にたいする印刷配線板１５の回路に発生するノイズからの影響もなくすことができる。
【００３９】
【発明の効果】
本発明の磁気ディスク記憶装置は、以上説明したように、装置をさらに薄形化することができるばかりか、厚みを増大させることなしに、仕様の変更に対応することができ、製造および組み立てコストを低減させることができる。
【図面の簡単な説明】
【図１】本発明の磁気ディスク記憶装置における実装状態の一例を説明するための図である。
【図２】本発明の磁気ディスク記憶装置における実装状態の他の例を説明するための図である。
【図３】本発明の磁気ディスク記憶装置における実装状態のさらに他の例を説明するための図である。
【図４】本発明の磁気ディスク記憶装置における実装状態のさらに他の例を説明するための図である。
【図５】図４におけるシール部材の斜視図である。
【図６】図４における他のシール部材の断面図である。
【図７】本発明の磁気ディスク記憶装置における実装状態のさらに他の例を説明するための図である。
【図８】本発明の磁気ディスク記憶装置における実装状態のさらに他の例を説明するための図である。
【図９】本発明の磁気ディスク記憶装置における実装状態のさらに他の例を説明するための図である。
【図１０】本発明の磁気ディスク記憶装置における実装状態のさらに他の例を説明するための図である。
【図１１】本発明の磁気ディスク記憶装置の一実施例を示す断面図である。
【図１２】本発明の磁気ディスク記憶装置の他の実施例を示す一部を破断された斜視図である。
【図１３】図１２におけるシール部材の斜視図である。
【図１４】本発明の磁気ディスク記憶装置のさらに他の実施例を示す断面図である。
【図１５】本発明の磁気ディスク記憶装置のさらに他の実施例を示す斜視図である。
【図１６】本発明の磁気ディスク記憶装置のさらに他の実施例を示す断面図である。
【図１７】図１６に示す装置におけるシール部材の側面図である。
【符号の説明】
１０…密閉容器、１５…配線板、２０…開口、２１…シールド部材、５０…ディスク、５１…ディスク駆動機構、５３，５４…ヘッド位置決め機構。
【図１】
0003760224.tif 000002
【図２】
0003760224.tif 000003
【図３】
0003760224.tif 000004
【図４】
0003760224.tif 000005
【図５】
0003760224.tif 000006
【図６】
0003760224.tif 000007
【図７】
0003760224.tif 000008
【図８】
0003760224.tif 000009
【図９】
0003760224.tif 000010
【図１０】
0003760224.tif 000011
【図１１】
0003760224.tif 000012
【図１２】
0003760224.tif 000013
【図１３】
0003760224.tif 000014
【図１４】
0003760224.tif 000015
【図１５】
0003760224.tif 000016
【図１６】
0003760224.tif 000017
【図１７】
0003760224.tif 000018